【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
防火スプリンクラーシステム用の差動型ドライパイプ弁であって、
入口および出口と、前記入口に連通する水側チャンバおよび前記出口に連通する空気側チャンバと、その間に、空気弁軸を有する空気弁座および水弁軸を有する水弁座とを画成する弁本体と、
水が前記水弁座を通って流れるのに抵抗するための第１のクラッパ閉鎖位置と、水が前記水弁座を通って前記空気側チャンバへ向けて流れるのを可能にするための第２のクラッパ開放位置との間を、前記空気弁座に近接した旋回軸を中心にして旋回するように装着されるクラッパと、
前記第１のクラッパ閉鎖位置にある前記クラッパで前記空気弁座に封止係合するために装着される空気弁シールと、
前記第１のクラッパ閉鎖位置にある前記クラッパで前記水弁座に封止係合するために装着される水弁シールと、
を含み、
前記空気弁座は、前記旋回軸から第１の半径方向距離に中心を置かれ、前記水弁座は前記旋回軸から第２の半径方向距離だけ間隔をおかれ、前記第１の半径方向距離は前記第２の半径方向距離よりも大きい、差動型ドライパイプ弁。
【請求項２】
前記クラッパは、前記空気側チャンバおよび前記防火スプリンクラーシステム内に維持された空気圧によって前記第１のクラッパ閉鎖位置に保持され、前記クラッパは、前記空気側チャンバおよび前記防火スプリンクラーシステム内の空気圧の減少時に、前記水側チャンバからの水圧によって前記第１のクラッパ閉鎖位置から前記第２のクラッパ開放位置へ向けて付勢される請求項１に記載の差動型ドライパイプ弁。
【請求項３】
前記空気側チャンバおよび前記防火スプリンクラーシステム内の空気圧の前記減少は、前記防火スプリンクラーシステムの１つまたはそれ以上の防火スプリンクラーを開くことから生じる請求項２に記載の差動型ドライパイプ弁。
【請求項４】
前記空気弁シールは前記クラッパに装着される請求項１に記載の防火スプリンクラーシステム用の差動型ドライパイプ弁。
【請求項５】
前記水弁シールは前記クラッパに装着される請求項１または４に記載の差動型ドライパイプ弁。
【請求項６】
第１のラッチ部材位置で、前記クラッパが前記第１のクラッパ閉鎖位置から前記第２のクラッパ開放位置へ向けて動くのを可能にし且つ前記クラッパが前記第２のクラッパ開放位置から第１のクラッパ閉鎖位置へ向けて戻る動きには抵抗するように適合されたラッチ部材をさらに含む請求項１に記載の差動型ドライパイプ弁。
【請求項７】
前記ラッチ部材は、前記クラッパが前記第１のクラッパ閉鎖位置へ向けて戻る動きに抵抗する前記第１のラッチ部材位置と、前記クラッパが前記第２のクラッパ開放位置から前記第１のクラッパ閉鎖位置へ向けて戻る動きを可能にする第２のラッチ部材位置との間を動くために、前記本体に装着される請求項６に記載の差動型ドライパイプ弁。
【請求項８】
前記ラッチ部材は、前記クラッパが前記第１のクラッパ閉鎖位置へ向けて戻る動きに抵抗する前記第１のラッチ部材位置から、前記クラッパが前記第１のクラッパ閉鎖位置へ向けて戻る動きを可能にする前記第２のラッチ部材位置へ向けて、前記ラッチ部材を動かすために、前記本体の外部に配置されたアクチュエータを含む請求項７に記載の差動型ドライパイプ弁。
【請求項９】
前記空気弁シールは、前記空気弁座に封止係合するために配置された第１の表面と、前記空気弁座上の前記空気弁シールへ封止圧力を加えるために露出された対向する第２の表面と、を有する請求項１に記載の差動型ドライパイプ弁。
【請求項１０】
前記水弁シールは、前記水弁座に封止係合するために配置された第１の表面と、前記水弁座上の前記水弁シールへ封止圧力を加えるために露出された対向する第２の表面と、を有する請求項１に記載の差動型ドライパイプ弁。
【請求項１１】
単一のクラッパを含む請求項１に記載の差動型ドライパイプ弁。
【請求項１２】
前記クラッパは、前記第１のクラッパ閉鎖位置で、ほぼ前記空気弁座と前記水弁座との間に大気領域を画成する請求項１に記載の差動型ドライパイプ弁。
【請求項１３】
ほぼ前記空気弁座と前記水弁座との間に前記クラッパによって画成される前記大気領域は、前記空気弁軸に対して非対称である請求項１２に記載の差動型ドライパイプ弁。
【請求項１４】
前記第１の半径方向距離は、前記第２の半径方向距離の約１．８倍未満である請求項１に記載の差動型ドライパイプ弁。
【請求項１５】
防火スプリンクラーシステム用の差動型ドライパイプ弁であって、
入口および出口と、前記入口に連通する水側チャンバおよび前記出口に連通する空気側チャンバと、その間に、空気弁軸を有する空気弁座および水弁軸を有する水弁座とを画成する弁本体と、
水が前記水弁座を通って流れるのに抵抗するための第１のクラッパ閉鎖位置と、水が前記水弁座を通って前記空気側チャンバへ向けて流れるのを可能にするための第２のクラッパ開放位置との間を、前記空気弁座に近接した旋回軸を中心にして旋回するように装着されるクラッパと、
前記第１のクラッパ閉鎖位置にある前記クラッパで前記空気弁座に封止係合するために前記クラッパに装着される空気弁シールと、
前記第１のクラッパ閉鎖位置にある前記クラッパで前記水弁座に封止係合するために前記クラッパに装着される水弁シールと、
を含み、
前記空気弁座は前記旋回軸から第１の半径方向距離に中心を置かれ、前記水弁座は前記旋回軸から第２の半径方向距離だけ間隔をおかれ、前記空気弁座および前記水弁座は非対称的に配列され、前記第１の半径方向距離は前記第２の半径方向距離よりも大きい、差動型ドライパイプ弁。
【請求項１６】
前記第１の半径方向距離は、前記第２の半径方向距離の約１．８倍未満である請求項１５に記載の差動型ドライパイプ弁。
【請求項１７】
用水封止区域に対する有効空気封止区域の比率は、防火スプリンクラーシステムが作動されるシステム空気圧に対する用水圧の比率よりも小さい、防火スプリンクラーシステム用の差動型ドライパイプ弁。
【請求項１８】
水弁座および空気弁座を有し、前記水弁座は前記空気弁座に対して中心がずれている、防火スプリンクラーシステム用のドライパイプ弁。
【請求項１９】
防火スプリンクラーシステム用の差動型ドライパイプ弁であって、
入口および出口と、前記入口に連通する水側チャンバおよび前記出口に連通する空気側チャンバと、その間に、空気弁軸を有する空気弁座および水弁軸を有する水弁座とを画成する弁本体と、
水が前記水弁座を通って流れるのに抵抗するための、クラッパが閉鎖状態となる第１の位置と、水が前記水弁座を通って前記空気側チャンバへ向けて流れるのを可能にするための、クラッパが開放状態となる第２の位置との間を、前記空気弁座に近接した旋回軸を中心にして旋回するように装着されるクラッパと、
前記第１の位置にある前記クラッパで前記空気弁座に封止係合するために装着される空気弁シールと、
前記第１の位置にある前記クラッパで前記水弁座に封止係合するために装着される水弁シールと、
を含み、
前記空気弁座は、前記旋回軸を通り前記入口及び前記出口間の流れの軸に対し直交する平面で測定された前記旋回軸からの第１の半径方向距離でシステム空気圧力の中心軸が位置決めされ、前記水弁座は、前記旋回軸を通り前記入口及び前記出口間の流れの軸に対し直交する平面で測定された前記旋回軸からの第２の半径方向距離でシステム水圧力の中心軸が位置決めされ、前記第１の半径方向距離は前記第２の半径方向距離よりも大きい、差動型ドライパイプ弁。
【請求項２０】
前記クラッパは、前記空気側チャンバおよび前記防火スプリンクラーシステム内に維持された空気圧によって前記第１の位置に保持され、前記クラッパは、前記空気側チャンバおよび前記防火スプリンクラーシステム内の空気圧の減少時に、前記水側チャンバからの水圧によって前記第１の位置から前記第２の位置へ向けて付勢される、請求項１９に記載の差動型ドライパイプ弁。
【請求項２１】
前記空気側チャンバおよび前記防火スプリンクラーシステム内の空気圧の前記減少は、前記防火スプリンクラーシステムの１つまたはそれ以上の防火スプリンクラーを開くことから生じる、請求項２０に記載の差動型ドライパイプ弁。
【請求項２２】
前記空気弁シールは前記クラッパに装着される、請求項１９に記載の防火スプリンクラーシステム用の差動型ドライパイプ弁。
【請求項２３】
前記水弁シールは前記クラッパに装着される、請求項１９または２２に記載の差動型ドライパイプ弁。
【請求項２４】
第１のラッチ部材位置で、前記クラッパが前記第１の位置から前記第２の位置へ向けて動くのを可能にし、且つ前記クラッパが前記第２の位置から第１の位置へ向けて戻る動きには抵抗するように適合されたラッチ部材をさらに含む、請求項１９に記載の差動型ドライパイプ弁。
【請求項２５】
前記ラッチ部材は、前記クラッパが前記第１の位置へ向けて戻る動きに抵抗する前記第１のラッチ部材位置と、前記クラッパが前記第２の位置から前記第１の位置へ向けて戻る動きを可能にする第２のラッチ部材位置との間を動くように、前記本体に装着される、請求項２４に記載の差動型ドライパイプ弁。
【請求項２６】
前記ラッチ部材は、前記クラッパが前記第１の位置へ向けて戻る動きに抵抗する前記第１のラッチ部材位置から、前記クラッパが前記第１の位置へ向けて戻る動きを可能にする前記第２のラッチ部材位置へ向けて、前記ラッチ部材を動かすために、前記本体の外部に配置されたアクチュエータを含む、請求項２５に記載の差動型ドライパイプ弁。
【請求項２７】
前記空気弁シールは、前記空気弁座に封止係合するために配置された第１の表面と、前記空気弁座上の前記空気弁シールへ封止圧力を加えるために露出された反対側の第２の表面と、を有する、請求項１９に記載の差動型ドライパイプ弁。
【請求項２８】
前記水弁シールは、前記水弁座に封止係合するために配置された第１の表面と、前記水弁座上の前記水弁シールへ封止圧力を加えるために露出された反対側の第２の表面と、を有する、請求項１９に記載の差動型ドライパイプ弁。
【請求項２９】
単一のクラッパを含む、請求項１９に記載の差動型ドライパイプ弁。
【請求項３０】
前記クラッパは、前記第１の位置で、前記空気弁座と前記水弁座との間に少なくとも一部を有する大気領域を画成する請求項１９に記載の差動型ドライパイプ弁。
【請求項３１】
前記空気弁座と前記水弁座との間に前記クラッパによって画成される前記大気領域は、前記空気弁軸に対して非対称である、請求項３０に記載の差動型ドライパイプ弁。
【請求項３２】
前記第１の半径方向距離は、前記第２の半径方向距離の約１．８倍未満である請求項１９に記載の差動型ドライパイプ弁。
【請求項３３】
防火スプリンクラーシステム用の差動型ドライパイプ弁であって、
入口および出口と、前記入口に連通する水側チャンバおよび前記出口に連通する空気側チャンバと、その間に、空気弁軸を有する空気弁座および水弁軸を有する水弁座とを画成する弁本体と、
水が前記水弁座を通って流れるのに抵抗するための、クラッパが閉鎖状態となる第１の位置と、水が前記水弁座を通って前記空気側チャンバへ向けて流れるのを可能にするための、クラッパが開放状態となる第２の位置との間を、前記空気弁座に近接した旋回軸を中心にして旋回するように装着されるクラッパと、
前記第１の位置にある前記クラッパで前記空気弁座に封止係合するために前記クラッパに装着される空気弁シールと、
前記第１の位置にある前記クラッパで前記水弁座に封止係合するために前記クラッパに装着される水弁シールと、
を含み、
前記空気弁座は、前記旋回軸を通り前記入口及び前記出口間の流れの軸に対し直交する平面で測定された前記旋回軸からの第１の半径方向距離でシステム空気圧力の中心軸が位置決めされ、前記水弁座は、前記旋回軸を通り前記入口及び前記出口間の流れの軸に対し直交する平面で測定された前記旋回軸からの第２の半径方向距離でシステム水圧力の中心軸が位置決めされ、前記空気弁座および前記水弁座は非対称的に配列され、前記第１の半径方向距離は前記第２の半径方向距離よりも大きい、差動型ドライパイプ弁。
【請求項３４】
前記第１の半径方向距離は、前記第２の半径方向距離の約１．８倍未満である、請求項３３に記載の差動型ドライパイプ弁。
【請求項３５】
入口と出口の間に配置された旋回軸の周りを移動可能なクラッパ、システム水圧力の中心軸を位置決めする水弁座、システム空気圧力の中心軸を位置決めする空気弁座を有する防火スプリンクラーシステム用のドライパイプ弁であって、
前記水弁座により位置決めされたシステム水圧力の前記中心軸は、前記空気弁座により位置決めされたシステム空気圧力の前記中心軸に対して中心がずれており、前記システム水圧力の中心軸と前記空気圧力の中心軸は、前記入口及び前記出口間の流れ軸に対しほぼ平行であり、前記旋回軸を通る平面に対しほぼ直交する、ドライパイプ弁。